(57)【特許請求の範囲】
【請求項１】
操作杆の先端部に作業器具を備え、該作業器具を原動機の出力で駆動するようにした作業機であり、且つ操作杆には操作ハンドルを備え、該操作ハンドルにはスロットルレバー、及びロックレバーからなる操作レバーを備える作業機であって、
前記操作ハンドルに設けた支軸と、
前記操作ハンドルに一端部を揺動自在に軸支されたスロットルレバーであって、該スロットルレバーは、前記操作ハンドルの側の支軸に係合し、軸支部を中心とした揺動の許容範囲を規制する長孔部を備え、揺動により原動機のスロットルを制御するようにしたスロットルレバーであり、
前記操作ハンドルに設けた支軸に揺動可能に支持したロックレバーと、
前記スロットルレバーと前記ロックレバーとの間に介装し、ロックレバーの揺動操作でスロットルレバーを操作ハンドル側に設けた受け面に押圧する押圧手段と、
前記スロットルレバーに設けられ、前記押圧手段の押圧摩擦力に抗して該スロットルレバーを揺動させる二次調節レバーとからなり、
前記操作ハンドルは、操作杆上に突出し、該操作ハンドルの作業器具側に、人差し指及び中指で操作可能に前記スロットルレバーが配置され、該操作ハンドルの作業器具とは反対側に手の平で操作可能なロックレバーが配置され、該操作ハンドルの頭部の側面に露出するように親指で操作可能に前記二次調節レバーを配置した、
ことを特徴とする作業機の操作レバー装置。
【請求項２】
前記ハンドルに、前記ロックレバーのレバー部を収容するポケット部を設けた請求項１記載の作業機の操作レバー装置。
【発明の詳細な説明】
【０００１】
【発明の属する技術分野】
本発明は、例えば原動機を背負い、原動機で駆動される刈り刃により、雑草を刈り払いする背負い式刈り払い機の操作杆に付設されるスロットルレバーの如き操作レバー装置にかかり、特にスロットル調節の操作性の向上を図った作業機の操作レバー装置に関するものである。
【０００２】
【従来の技術】
原動機を背負い、手で操作する操作杆先端部に設けた刈り刃を原動機で駆動し、雑草を刈り払う背負い式刈り払い機は、実公昭６３−１４０３５号公報他で知られれている。
この種の刈り払い機は、原動機で回転、駆動される刈り刃を先端部に備える操作杆を手で把持し、操作杆を左右、上下に動かして雑草の刈り払い作業を行う。
【０００３】
以上の、雑草の刈り払い作業は、先端部に刈り刃を備える操作杆を手で把持し、操作杆を左右、上下に移動させて行い、このため操作杆には操作ハンドルを設ける。
一方、原動機の出力を調節するためスロットルレバーを備え、スロットルレバーの操作で、原動機出力を調節し、刈り刃の回転数を調節する。
ところで、操作ハンドルを手で把持しつつスロットルレバーを併せて操作し、スロットルレバーを手で握った状態で刈り払い作業を行うように構成されるのが一般なので、作業中、作業者は、指でスロットルレバーを握り続ける必要があり、作業者の負担が大きい。
【０００４】
このため、作業中におけるスロットルレバーを握り続けることによる負担を軽減すべく、スロットルレバーを所定位置にセットした状態でロックし、この状態を継続するようにしたロック機構、及びこれの開示機構をハンドルに付設することが試みられる。
スロットルレバーとロック機構を並設した操作レバー装置としては、▲１▼実公昭５５−２１５３６号公報、▲２▼実開昭６０−４１５３９号公報、▲３▼実公昭５３−４２６６１号公報が知られている。
【０００５】
【発明が解決しようとする課題】
以上の従来技術は、何れもスロットルレバーを所定位置にセットし、この状態でロック機構を介して当該位置を保持すべくロックし、必要に応じてロックを解除するように構成されている。
上記した▲１▼，▲２▼の技術は、一方の手でハンドル（グリップ）を把持しつつ、▲１▼の技術は解除レバーを同時に把持し、▲２▼の技術は一端ロックレバーを任意の位置まで回動し、その一方の手で親指化人差し指一本で重くなったスロットルレバーを調節するので、指一本ではスロットルレバーの開、又は閉の何れか一方への操作が極めて難しい。
【０００６】
又刈り払い作業機は、原動機の運転による振動、操作杆内を通るシャフトの回転、先端部の刈り刃の回転等による振動、揺動が間断なく作用し、ハンドル（グリップ）を強固、確実に把持することで適切な作業性を確保することが可能であり、上記技術では二本の指によりスロットル調整操作を行う必要があるが、これによると握りが緩くなる虞があり、操作杆の把持が不確実となる虞があり、刈り払い作業等の作業性が著しく低下する虞がある。
【０００７】
上記▲３▼の技術は、手の平でハンドルを把持するとともに、トリガーを押圧し、絞り弁トリガーを操作可能に構成しているが、上記▲１▼，▲２▼の機構と同様に、絞り弁の調節を指一本で行うので、前記と同様に作業中におけるスロットル微調整は困難性を伴う。
【０００８】
本発明は以上の課題を解決すべくなされたものである。
本発明の目的とする処は、操作ハンドルを手で握り、この状態で親指以外の指の操作によるスロットル調節と、操作ハンドルを握った状態で手の平の操作による該調節位置での保持を行わせ、且つ当該調節位置を保持しつつ、操作ハンドルの把持、スロットルレバーの把持を継続しつつ、親指一本でスロットルレバーの調節操作を適切に、容易に行い得るようにした作業機の操作レバー装置を提供することにある。
【０００９】
【課題を解決するための手段】
上記課題を解決するために請求項１は、操作杆の先端部に作業器具を備え、該作業器具を原動機の出力で駆動するようにした作業機であり、且つ操作杆には操作ハンドルを備え、該操作ハンドルにはスロットルレバー、及びロックレバーからなる操作レバーを備える作業機であって、前記操作ハンドルに設けた支軸と、前記操作ハンドルに一端部を揺動自在に軸支されたスロットルレバーであって、該スロットルレバーは、前記操作ハンドルの側の支軸に係合し、軸支部を中心とした揺動の許容範囲を規制する長孔部を備え、揺動により原動機のスロットルを制御するようにしたスロットルレバーであり、前記操作ハンドルに設けた支軸に揺動可能に支持したロックレバーと、前記スロットルレバーと前記ロックレバーとの間に介装し、ロックレバーの揺動操作でスロットルレバーを操作ハンドル側に設けた受け面に押圧する押圧手段と、スロットルレバーに設けられ、前記押圧手段の押圧摩擦力に抗して該スロットルレバーを揺動させる二次調節レバーとからなり、
前記操作ハンドルは、操作杆上に突出し、該操作ハンドルの作業器具側に、人差し指及び中指で操作可能に前記スロットルレバーが配置され、該操作ハンドルの作業器具とは反対側に手の平で操作可能なロックレバーが配置され、該操作ハンドルの頭部の側面に露出するように親指で操作可能に前記二次調節レバーを配置したことを特徴とする。
【００１０】
請求項１においては、操作ハンドルを手で握り、スロットルレバーを握った状態で、ロックレバーを併せて握り、ロックレバーを握ることで手の平でロックレバーを押圧し、押圧手段を介してスロットルレバーはハンドル側の受け面に押し付けられて保持され、一方、スロットルレバーは支軸を支点として人差し指及び中指で揺動可能であり、二次調節レバーを親指で押圧することでスロットルレバーを揺動させることができ、これによりスロットルの微調整を行うことができる。
又本発明は、操作ハンドルをガングリップタイプのように握ることができ、操作ハンドルの把持と、前方にあるスロットルレバーの人差し指、中指による押圧、手の平によるロックレバーの押圧、把持が自然、確実に、強固に行える。余った親指で操作ハンドル側方の二次調節レバーの操作は容易に行え、該二次調節レバーと連動するスロットルレバーを、ロックレバーによる保持状態のまま、容易に揺動させることができ、スロットル微調整を行うことができる。
【００１２】
請求項２は、操作ハンドルに、ロックレバーのレバー部を収容するポケット部を設けた。
従って、ロックレバーを握った状態で、レバー部は操作ハンドルの面から突出することが無く、操作ハンドルを握った状態で、手の平側に突出しない。
【００１３】
【発明の実施の形態】
本発明の実施の形態を添付図に基づいて以下に説明する。なお、図面は符号の向きに見るものとする。
図１は作業機の一例としての背負い式刈り払い機の説明図で、雑草の刈り払い作業を示す図、図２は操作ハンドル、及び操作レバー装置の外観側面図で、操作レバー開放状態の図、図３は図２の状態の操作ハンドルの内部構造を示す縦断側面図、図４は図２の状態の操作ハンドルの内部構造を示す縦断背面図、図５は操作ハンドル、及び操作レバー装置の分解斜視図、図６はロックレバー、及び押圧手段の拡大分解斜視図、図７は操作レバーを操作した状態の図２と同様の外観側面図、図８は操作レバーを操作した状態の図３と同様の縦断側面図である。
【００１４】
図１において１は背負い式刈り払い機で、フレーム２に搭載、保持されたガソリンエンジンの如き原動機３、原動機３の出力部に連結されたフレキシブルチューブ４、該フレキシブルチューブ４内を通る図示しないフレキシブル伝動シャフト、剛体で構成された長尺の操作杆５、操作杆５の先端部に設けられた刈り刃６を備え、原動機３の出力で操作杆５内を通した駆動軸により、刈り刃６は回転駆動される。
【００１５】
操作杆５の後半部には、前方部分に把持ハンドル７を備え、又該把持ハンドル７の後方には操作ハンドル１０を設け、各ハンドル７、及び１０は、操作杆５の上方に起立するように設ける。
作業者Ｍは、背負い用ベルト８で背当て用パッド９を介して原動機３を搭載したフレーム２を背負い、操作杆５を身体の右側に臨ませ、左右の手、例えば左手ＬＨで把持ハンドル７を握り、右手ＲＨで操作ハンドル１０をガングリップのように握り、操作杆５を左右、上下に振り、雑草の刈り払い作業を行う。
【００１６】
左手ＬＨは把持ハンドル７の把持が主であり、又操作杆５を左右、上下に操作する機能を負担し、一方、右手ＲＨで握る操作ハンドル１０は、把持と操作杆５の操作と、原動機３の出力を調節するスロットル調整も行う。
【００１７】
操作ハンドル１０、これに付設したスロットルレバー３０、ロックレバー４０の外形は、図２、及び図３に示す如くである。
図５に示した如くで、操作ハンドル１０は対称形状の左右の部材１１，１１を突き合せて接合して一体する「もなか」構造をなし、夫々１１，１１の下半部１１ａ，１１ａは、接合した状態で筒状の基部１２を構成し、該基部１２を操作杆５上に支持部材５ａを介して起立するように固定する。
【００１８】
中間部１１ｂ，１１ｂの後面には、上下方向に所定長さの凹部１１ｃ，１１ｃを設け、接合した状態で基部１２の後面上方に後述するロックレバー４０のレバー部４０ａを収容するポケット部１３を、図２、図３のように形成する。
凹部１１ｃ，１１ｃの上方には欠部１１ｄを設け、該欠部１１ｄは左右の部材１１，１１の接合一体化した状態で、後述するロックレバー４０のレバー部４０ａの基部連結部４０ｂを通す長孔１４を図３に示すように構成する。
【００１９】
左右の部材１１，１１の上部１１ｅ，１１ｅは前後方向に大きく、左右の部材１１，１１の接合一体化状態で頭部１５を構成する。
左右の部材１１，１１の一方、図５で示す左側のもの１１Ａには、その裏面後部寄り部分に、両面とカットして平坦面とした支軸１６を多の部材方向に突出するように設け、右側の部材１１Ｂの対向する位置には受け部１７を設け、又支軸１６の基部には、一方の部材１１Ａの裏面に対して内側に若干突出する受け面１８を設ける。
【００２０】
又左右の部材１１，１１の前部で上部の位置には、支持孔１１ｆ，１１ｆを設け、更に左右の部材１１，１１の前端部には、高さ方向に長さを有する欠部１１ｇ，１１ｇを設け、左右の部材１１，１１を接合一体化した状態で、図３に示すように、頭部１５の前端部に縦長の長孔１９を設ける。
更に左右の部材１１，１１の上部で後面には欠部１１ｈ，１１ｈを設け、左右の部材１１，１１を接合一体化した状態で、図３に示すように、頭部１５の後端部に長孔２０を設ける。
更に左側の部材１１Ａの上部１１ｅの側面には、内外面を貫通する弧状のガイド長孔２１を設ける。
【００２１】
以上の左右の部材１１，１１を接合一体化して操作ハンドル１０を形成するが、かかる操作ハンドル１０内に、スロットルレバー３０、及びロックレバー４０の要部を収納、配置する。
スロットルレバー３０は、側面を図３で示し、又図５で単品の外形を示したように略々扇型をなし、頂部には右側の部材１１Ｂ方向に突出する筒軸部３１を備え、先端部に近い部分には弧状の長孔部３２を備える。長孔部３２と中空軸部３１との間の部材１１Ａ側の面には、前記長孔２１と係合する係合部３３を突設する。
【００２２】
スロットルレバー３０の内側面（部材１１Ｂ側の面）には、スロットル操作子３４を配置し、操作子３４は上端部３４ａを筒軸部３１の先端部に当接し、部材１１Ａの支持孔１１ｆ、スロットルレバー３０の筒軸部３１、部材１１Ｂの支持孔１１ｆに長ネジ２２を通し、部材１１，１１の頭部１５の前部の上部を結合し、併せてスロットルレバー３０、操作子３４を取り付ける。
操作子３４は、下端部の係止孔３４ｂをスロットルレバー３０の下端部に設けたピン３０ａに係合し、操作子３４をスロットルレバー３０と一体的に揺動するように構成する。
【００２３】
前記した操作子３４の上端部にはスティ部３４ｃを後方に突設し、これにスロットルコントロールケーブル３５の上端部を連結し、該スロットルコントロールケーブル３５は、前記した原動機３の気化器等の燃料供給装置のスロットル弁に連結する。
従って、スロットルレバー３０のネジ２２を支点とした揺動で、操作子３４も同方向に揺動し、スロットルコントロールケーブル３５を、図３、図５の上方に引張させることで、原動機３の出力を増大させる方向に運転し、刈り刃６の回転を増速させる。
【００２４】
尚、スロットルレバー３０の筒軸部３１周には、トーションバネからなる復帰バネ３６を巻回し、バネ３６の一端部を部材１１側に係止し、他端部をスロットルレバー３０の上端縁部の係止部３０ｂに係止し、スロットルレバー３０への握り力を緩めたり、開放した際、スロットルレバー３０が図３の位置に復帰するように構成する。
【００２５】
以上のスロットルレバー３０の一側面の中間部に突設した係合部３３を、部材１１Ａ側に設けたガイド長孔２１に係合し、その先端部に二次調節レバー３７をネジ２３で固定し、二次調節レバー３７は、図２に示すように、操作ハンドル１０の頭部１５の左側側面に露出する。
二次調節レバー３７は、レバー部３７ａの後縁部が親指で押圧したり、引っ張す操作がし易い大きさに設定する。
【００２６】
スロットルレバー３０の前記した弧状の長孔部３２を、左側の部材１１Ａの裏面に突設した前記支軸１６に嵌合する。
支軸１６の長孔部３２の半体側上には、先ず隣接して断面が山形の皿バネ５１，５２を、その中心部に設けた孔５１ａ，５２ａを介して図４で示すように嵌装し、該皿バネの反対側には、隣接して押圧手段を構成する押圧カム機構４１を設ける。
【００２７】
押圧カム機構４１は、軸方向端面に複数のカム斜面部４３…（…は複数を表す。以下同じ）を備えるスライドカム４２と、対称構造のカム斜面部４５…を備える回動カム４４とで構成する。
回動カム４４は、ロックレバー４０のレバー部４０ａの上部に一体的に形成されており、レバー部４０ａは左右に幅のある板状をなし、所定長さを備え、レバー部４０ａと回動カム４４との連結部４４ｂは、前後方向に長さを有し、幅を小さく設定する。
【００２８】
前記スライドカム４２の中心部には角孔４２ａを備える。この角孔４２ａを前記した支軸１６の皿バネ５１，５２の反対側周に係合し、図４に示すように回転方向を規制し、軸方向を摺動可能に支軸１６に支持する。
前記回動カム４４の中心部には孔４４ａを設け、スライドカム４２の反対側には筒軸部４４ｂを設ける。回動カム４４は、孔４４ａを支軸１６周に回動可能に嵌合し、筒軸４４ｂは内部に支持軸１６を通して部材１１Ｂの受け部１７に先端部を当接し、支軸１６の先端部を部材１１Ｂ側と受け部１７に設けた孔を介して長ネジ２４で結合する。この状態を図４で示した。
【００２９】
尚、回動カム４４の筒軸部４４ｂ周には、トーションバネからなる復帰バネ４６を巻回し、該復帰バネ４６の一端部を部材１１ｂ側に係止し、他端部を回動カム４４、従ってロックレバー４０側に係止する。
これにより、ロックレバー４０のロック方向への拘束力を解除した場合、復帰バネ４６で、ロックレバー４０を自動的に解除方向に復帰揺動するように構成した。
【００３０】
以上の押圧カム機構４１は、カム斜面部４３…，４５…が相互に係合し、係合は図４に示すように支軸１６周に配置した皿バネ５１，５２の弾圧力でなされる。
ことろで、スロットルレバー４０を、レバー部４０ａを介して支軸１６周で図６の矢印ａの方向に回動させると、一体の回動カム４４も矢印ｂの方向に回動しする。一方、これとカム斜面部４３…でカム斜面部４５…と係合したスライドカム４２は、回転方向が固定であり、支軸１６上において摺動可能に構成されているので、支軸１６上を皿バネ５１，５２の押圧力に抗してロックレバー４０とは半体方向の矢印ｃ方向に摺動する。
【００３１】
以上のスロットルレバー３０、及びロックレバー４０で、操作レバー装置５０を構成する。
尚、操作ハンドル１０の頭部１５の後端部には、長孔２０を介して原動機の始動スイッチ５３を設けた。
【００３２】
次にスロットルレバー作用を説明する。
図２〜図４はスロットルレバー３０、及びロックレバー４０の相徐状態を示し、操作ハンドル１０を握らないか、或いは筒状の基部１２を握って運ぶような状態を示す。
図２のようにスロットルレバー３０は、図３の復帰バネ３６の付勢で、頭部１５の前方に長孔１９を介して前部３０ｃが大きく突出している。
又ロックレバー４０は、レバー部４０ａが頭部１５の後部下方で、復帰バネ４６の付勢により後下傾するように突出している。
【００３３】
図７に示すように、操作ハンドル１０は、作業者Ｍの右手ＲＨで把持し、把持は頭部１５と基部１２との中間部を把持してなされる。
この際、人差し指Ｆ２と中指Ｆ３とで、頭部１５の前方に突出したスロットルレバー３０を復帰バネ３６に抗して図３中の反時計方向に支点２２を中心として回動させ、又薬指Ｆ４、及び小指Ｆ５で操作ハンドル１０の頭部１５下方の中間部を握る。
【００３４】
又手の平は、図７で操作ハンドル１０の反対側に隠れているが、操作ハンドル１０の右側面に当て、一方、手の平の親指Ｆ１の下方部位Ｐは、ロックレバー４０のレバー部４０ａを前方に押圧する。
ロックレバー４０は、前記したように支軸１６を支点として、図３の状態から図８で示すように時計方向に回動する。ロックレバー４０のレバー部４０ａは、前記したポケット部１３内に収容され、操作ハンドル１０の中間部後面とレバー部４０ａとは略々面一となり、手の平の当接部分に違和感を与えない。又後方に突出しないので、握り易い。
【００３５】
以上において、スロットルレバー３０は前記した指Ｆ２，Ｆ３の押圧で、上端部の支点２を中心として、前記したように図３の状態から図８の状態へ反時計方向に回動する。
スロットルレバー３０の回動範囲は、長孔部３２と固定側の支軸１６との係合で規制され、長孔部３２で許容される範囲内で、スロットルレバー３０は回動する。
一方、二次調節レバー３７は、前記したようにスロットルレバー３０と連結されているので、弧状のガイド長孔２１内の図２、図３に示した先端部の位置から、該長孔２１にガイドされて図７、図８に示す後端部位置に移動する。
【００３６】
スロットルコントロールケーブル３５は、図３のように下がった位置から、スロットルレバー３０の上記した揺動により、上方に引張される。この結果、スロットルコントロールケーブル３５の下流端部に連結した原動機３のスロットル弁を開く方向に作動させ、原動機の出力を上げ、刈り刃６の回転を増速側におき、高速回転させる。
スロットルレバー３０の図７、図８の状態において、原動機３の出力は上限にあり、刈り刃６は最大回転数で回転し、雑草の刈り払い作業を行う。
【００３７】
以上において、ロックレバー４０の上記した把持による揺動で、押圧手段であるカム機構４１のレバー４０側の回動カム４４は所定角度回動する。この結果、前記したように、スライドカム４２は、受け部１７で回動カム４４の位置が拘束され、当該位置を保持することから、図４中の支軸１６上を皿バネ５１，５２の弾発力に抗して皿バネ５１，５２の方向スライドする。
【００３８】
即ち、皿バネ５１，５２を図４において左方向に押圧し、この結果、皿バネ５１の図４において左側に配置したスロットルレバー３０を、左側部材１１Ａ裏面の支軸周辺部に設けた受け面１８に弾性的に押し付ける。
以上により、ロックレバー４０を、手の平の上記部位Ｐで前方に押し付けることで、スロットルレバー３０は弾性的に押し付けられて所謂ロック状態におかれる。
【００３９】
ところで、スロットルレバー３０のこのロック状態は、係止、係合、結合等のロック状態では無く、皿バネ５１，５２を押圧してロックレバー４０の揺動によりカム機構で発生した弾圧作用でなされ、いわば押圧状態で当該位置に保持されることとなる。
従って、操作ハンドル１０を握りつつ、これ等レバー３０，４０の握り、把持で、スロットルレバー３０を所謂ロック状態におき、操作ハンドル１０を介してなされる操作杆５の刈り払い操作は円滑に、容易になされ、意識的にスロットルレバー３０を所定位置に保持する行為を必要とすることなく、操作ハンドル１０を握る、とうい行為で、刈り刃の駆動を継続させつつ、刈り払い作業を行うことができる。
【００４０】
従って、スロットル操作に注意することなく、操作ハンドルを握る行為のみで刈り払い作業が行え、操作杆５の操作のみに専ら意を用い、刈り払い作業を円滑に、容易に行うことができる。
ところで、上記した図７、図８は、スロットルレバー３０を揺動限におき、スロットル弁が全開に近い状態にあり、スロットル弁を絞って刈り刃６の回転数を下げて刈り払い作業を行いたい場合がある。
【００４１】
この場合、図８に示すように親指Ｆ１を二次調節レバー３７のレバー部３７Ａに当てがい、二次調節レバー３７を図８の矢印Ｄの方向に強く押す。
親指Ｆ１は、操作ハンドル１０の把持、スロットルレバー３０、及びロックレバー４０の押圧に関与していないので、自由であり、従って親指Ｆ１は空いた状態にあるので、押圧操作し易く、又他の指や手全体の握り力が緩むことな無い。
【００４２】
親指Ｆ１による二次調節レバー３７の押圧で、これに連結したスロットルレバー３０は、図７の状態から時計方向に回動する。
このスロットルレバー３０の回動は、スロットルレバー３０のこの位置でのロックが、前記したように弾圧力による摩擦保持なので、二次調節レバー３７の親指Ｆ１による強制的な押圧力で、時計方向への揺動が可能である。
【００４３】
親指Ｆ１による二次調節レバー３７の押圧は、親指Ｆ１の力が大きくなる押し勝手方向なので、力が入れ易く、操作性も良く、スロットルレバー３０は押圧手段に対してスリップしつつ回動し、この結果、スロットル弁を全開位置から中間開度等に調整することとなり、刈り刃６の回転数を作業条件に合せて調整することができることとなる。
このように、操作ハンドル１０を把持し、スロットルレバー３０、及びロックレバー４０を握り、スロットルレバー３０をいわばロック状態におき、操作ハンドル１０の把持を強固に行いつつ、二次調節レバー３７を親指Ｆ１で操作してスロットルレバー３０の調整を行うことができる。
【００４４】
従って、操作ハンドル１０を把持し、スロットルレバー３０を全開位置となるように握り、この状態をロックレバー４０で保持し、作業を確実に、円滑に行いつつ、作業状況によって手を緩めること無く、スロットル調整を行うことができる。
従って、作業機の操作性を著しく向上し、作業の円滑が図れ、使い勝手性に優れた作業機の操作レバー装置を得ることができる。
尚、図では刈り払い機を示したが、本発明の実施の対象は刈り払い機に限られず、原動機を用いて携帯式で作業を行う捕集機、薬液散布機、チエンソー等の作業機の操作レバー装置として用いることができるものである。
【００４５】
【発明の効果】
本発明は上記構成により次の効果を発揮する。
請求項１は、操作杆の先端部に作業器具を備え、該作業器具を原動機の出力で駆動するようにした作業機であり、且つ操作杆には操作ハンドルを備え、該操作ハンドルにはスロットルレバー、及びロックレバーからなる操作レバーを備える作業機であって、前記操作ハンドルに設けた支軸と、操作ハンドルに一端部を揺動自在に軸支されたスロットルレバーであって、該スロットルレバーは、前記操作ハンドルの側の支軸に係合し、軸支部を中心とした揺動の許容範囲を規制する長孔部を備え、揺動により原動機のスロットルを制御するようにしたスロットルレバーであり、操作ハンドルに設けた支軸に揺動可能に支持したロックレバーと、スロットルレバーと前記ロックレバーとの間に介装し、ロックレバーの揺動操作でスロットルレバーを操作ハンドル側に設けた受け面に押圧する押圧手段と、スロットルレバーに設けられ、前記押圧手段の押圧摩擦力に抗して該スロットルレバーを揺動させる二次調節レバーとからなり、操作ハンドルは、操作杆上に突出し、該操作ハンドルの作業器具側に、人差し指及び中指で操作可能に前記スロットルレバーが配置され、該操作ハンドルの作業器具とは反対側に手の平で操作可能なロックレバーが配置され、該操作ハンドルの頭部の側面に露出するように親指で操作可能に前記二次調節レバーを配置した。
【００４６】
スロットルレバーはロックレバーのロック位置で、押圧手段による押圧摩擦作用で保持され、いわばロック状態にあり、従って、手で操作ハンドルを把持し、スロットルレバーを人差し指及び中指で操作し、ロックレバーを手の平で押圧することで把持した状態で、手、指を緩めること無く、押圧摩擦力に抗して二次調節レバーの親指の押圧による揺動が可能であり、二次調節レバーの揺動で把持、ロック状態にあるスロットルレバーの微調整が可能である。
そして、操作ハンドルの把持と、前方にあるスロットルレバーの人差し指、中指による押圧、手の平によるロックレバーの押圧、把持が自然に行え、又押圧、把持も確実に、強固に行うことができる。
そして、ガングリップタイプとすることで、親指を余らせることができ、余った親指で操作ハンドル側方の二次調節レバーの操作は容易に行え、親指による二次調節レバーの操作なので、押し勝手で強く二次調節レバーの押圧が行え、二次調節レバーと連動するスロットルレバーを、ロックレバーによる保持状態のまま、容易に揺動させることができ、スロットル微調整を行うことができる。
又操作ハンドルの把持、スロットルレバーの押圧、ロックレバーの押圧が自然に、強固に行うことができ、使い易い操作レバーを有する操作杆の操作ハンドルを得ることができる。
【００４７】
従って、作業機の操作杆を操作ハンドルを介して操作し、操作時にハンドル、スロットルレバー、ロックレバーの把持を強固、確実に行いつつスロットル調整が容易に可能であり、作業状況によってはスロットル調整を行い必要がある場合に、スロットルレバー、ロックレバーの強固な把持を含む操作杆の操作ハンドルの強固な把持による操作を円滑に行いつつ、作業状況に応じて必要なスロットル微調整を円滑に、容易に行うことができる。
【００４８】
従って、操作杆の先端部に刈り刃のような作業器具を備え、操作杆を操作ハンドルを把持して操作し、作業を行う作業機において、操作ハンドルの強固、確実な把持、これによる円滑な操作杆の操作による作業と、作業を不安定化する可能性のあるスロットルレバーの微調整操作とを両立させることができ、操作性に優れ、使い勝手性に優れる作業機の操作レバー装置を得ることができる。
【００５１】
請求項２は、操作ハンドルに、ロックレバーのレバー部を収容するポケット部を設けたので、ロックレバーを握った状態で、レバー部は操作ハンドルの面から突出することが無く、操作ハンドルを握った状態で、手の平側に突出しない。
従って、スロットルレバーの他にロックレバーを備えつつ、操作ハンドルの把持が確実に、容易に、安定して行うことができ、使い易い操作レバーを有する操作杆の操作ハンドルを得ることができる。
【図面の簡単な説明】
【図１】作業機の一例としての背負い式刈り払い機の説明図で、雑草の刈り払い作業を示す図
【図２】操作ハンドル、及び操作レバー装置の外観側面図で、操作レバー開放状態の図
【図３】図２の状態の操作ハンドルの内部構造を示す縦断側面図
【図４】図２の状態の操作ハンドルの内部構造を示す縦断背面図
【図５】操作ハンドル、及び操作レバー装置の分解斜視図
【図６】ロックレバー、及び押圧手段の拡大分解斜視図
【図７】操作レバーを操作した状態の図２と同様の外観側面図
【図８】操作レバーを操作した状態の図３と同様の縦断側面図
【符号の説明】
１…作業機、  ３…原動機、  ５…操作杆、  ６…作業器具である刈り刃、  １０…操作ハンドル、  １６…支軸、  ３０…スロットルレバー、  ３２…揺動ストローク制御用長孔、  ３７…二次調整レバー、  ４０…ロックレバー、  ４２，４４，５１．５２…押圧手段。
【図１】
0003850954.tif 000002
【図２】
0003850954.tif 000003
【図３】
0003850954.tif 000004
【図４】
0003850954.tif 000005
【図５】
0003850954.tif 000006
【図６】
0003850954.tif 000007
【図７】
0003850954.tif 000008
【図８】
0003850954.tif 000009